(57)【要約】  本発明は、同じ軸線の周りで独立して搖動できるハンドルとフリップトップとを含む容器の蓋に向けられている。前記ハンドルは、前記蓋にある取付部とフリップトップとの間で前記容器の蓋に固定される。前記フリップトップは、前記ハンドルが前記取付部に挿入されるとき前記ハンドル間に配置されるフリップトップピボットを含む。前記ハンドルと前記フリップトップとは、それぞれ独立して前記取付部内で搖動できる。
2015531332.tif 000002
【特許請求の範囲】
【請求項１】
容器用の蓋であって、
前記容器の内容物を分注するための開口と取付部とを有する蓋台と、
ハンドルと、
前記開口を密閉するためのフリップトップとを備え、
前記フリップトップは、前記ハンドルが前記取付部に挿入されるときに前記ハンドル間に配置されるフリップトップピボットを含み、前記ハンドルと前記フリップトップとは、それぞれ独立して前記取付部内で搖動できることを特徴とする容器用の蓋。
【請求項２】
前記ハンドルは、前記取付部の複数のポストの複数の開口部に挿入される複数のハンドルピボットを含むことを特徴とする請求項１の蓋。
【請求項３】
前記フリップトップピボットは両側面に突起を含み、
前記複数のハンドルピボットが前記取付部の前記複数のポストにある前記複数の開口部内に挿入されるときに前記突起が前記ハンドルの対応する開口部内に挿入されることにより、前記ハンドルを前記フリップトップピボットと前記複数のポストとの間で固定することを特徴とする請求項２の蓋。
【請求項４】
前記複数のハンドルピボットは、前記ハンドルピボットが前記複数のポストの前記複数の開口部内に挿入されることができるように内向きに偏向していることを特徴とする請求項３の蓋。
【請求項５】
前記ハンドルはループであることを特徴とする請求項１の蓋。
【請求項６】
前記ハンドルは、前記取付部の軸線の周りで搖動可能であることを特徴とする請求項１の蓋。
【請求項７】
前記フリップトップは、前記取付部の前記軸線の周りで搖動可能であることを特徴とする請求項６の蓋。
【請求項８】
前記取付部は、特定の姿勢で前記ハンドルを固定するために前記ハンドルの溝がその上に配置されるレールを少なくとも１つ含むことを特徴とする請求項１の蓋。
【請求項９】
前記取付部は両ポストの内側面にレールを含み、前記ハンドルは２つの対応する溝を含むことを特徴とする請求項８の蓋。
【請求項１０】
前記取付部は両ポストの内側面に複数のレールを含み、前記ハンドルは前記複数のレールと対応する複数の溝を含む請求項８の蓋。
【請求項１１】
前記開口は、前記開口を密閉するために前記フリップトップの一部が挿入される注ぎ口であることを特徴とする請求項１の蓋。
【請求項１２】
ボトルと、
前記ボトルの開口を密閉するための蓋とを備える容器であって、
前記蓋は、
前記ボトルの内容物を分注するための開口と取付部とを有する蓋台と、
ハンドルと、
前記開口を密閉するためのフリップトップとを備え、
前記フリップトップは、前記ハンドルが前記取付部に挿入されるときに前記ハンドル間に配置されるフリップトップピボットを含み、前記ハンドルと前記フリップトップは、前記取付部内でそれぞれ独立して搖動できることを特徴とする容器。
【請求項１３】
前記ハンドルは、前記取付部の複数のポストの複数の開口部内に挿入される複数のハンドルピボットを含むことを特徴とする請求項１２の容器。
【請求項１４】
前記フリップトップピボットは両端部に突起を含み、前記複数のハンドルピボットが前記取付部の複数のポストの前記複数の開口部に挿入されるときに前記突起が前記ハンドル内の対応する開口部内に挿入することにより、前記フリップトップピボットと前記複数のポストとの間で前記ハンドルを固定することを特徴とする請求項１３の容器。
【請求項１５】
前記複数のハンドルピボットは、前記複数のハンドルピボットが前記複数のポストの前記複数の開口部に挿入できるように内向きに偏向していることを特徴とする請求項１４の容器。
【請求項１６】
前記ハンドルはループであることを特徴とする請求項１２の容器。
【請求項１７】
前記ハンドルは、前記取付部の軸線の周りで搖動可能であることを特徴とする請求項１２の容器。
【請求項１８】
前記フリップトップは、前記取付部の前記軸線の周りで搖動可能であることを特徴とする請求項１７の容器。
【請求項１９】
前記取付部は、特定の姿勢で前記ハンドルを固定するために前記ハンドルの溝がその上に配置されるレールを少なくとも１つ含むことを特徴とする請求項１２の容器。
【請求項２０】
ボトルと、
前記ボトルの上部に接続して前記ボトルを密閉する蓋とを備える容器であって、
前記蓋は、
前記ボトルの内容物を分注するための開口部を含む蓋台と、ハンドルとフリップトップとを前記蓋台に固定する取付部とを備え、
前記ハンドルは、両側面にハンドルピボットを含み、
前記ハンドルピボットは、前記取付部の複数のポストの複数の開口部に挿入し、
前記フリップトップは、フリップトップピボットを含み、
前記フリップトップピボットは、両側面に突起を有し、前記突起は、前記ハンドルの両側面にある開口部に挿入して前記フリップトップと前記取付部との間に前記ハンドルを固定し、前記フリップトップは、前記ハンドルの前記開口部内で独立して搖動可能に維持され、前記ハンドルは、前記複数のポストの前記複数の開口部内で独立して搖動可能に維持されることを特徴とする容器。
【発明の詳細な説明】
【技術分野】
【０００１】
本発明は、独立して搖動するフリップトップとハンドルとを有する容器に関する。
【背景技術】
【０００２】
ボトル等の多くの容器は、ハンドルと一体化した蓋を含む。いくつかの容器は、その容器の内容物への素早いアクセスを容易にするフリップトップを使用できる。
【発明の概要】
【発明が解決しようとする課題】
【０００３】
このような蓋にハンドルを含めるとき、便利で効率のよい位置にハンドルを配置することと、フリップトップがハンドルに対する力により不意に開かれる危険性を最小限にすることとの間にトレードオフがある。
【課題を解決するための手段】
【０００４】
本発明は、同じ軸線の周りでそれぞれ独立して搖動できるハンドルとフリップトップとを含む容器用の蓋に向けられている。このようにして、容器蓋は、内容物を運ぶため、保管するため、又は消費するための容器の使用効率を上げる。
【０００５】
１つの実施形態において、容器用の蓋は、内容物を分注するための開口と、取付部とを有する蓋台を備える。前記蓋は、またハンドルと、前記開口を密閉するためのフリップトップとを備える。前記フリップトップは、前記ハンドルが前記取付部に挿入されるときに、前記ハンドル間に配置されるフリップトップピボットを含む。前記ハンドルと前記フリップトップとは、それぞれ独立して搖動できる。
【０００６】
他の実施形態において、容器はボトルと、前記ボトルの開口を密閉するための蓋とを備えている。前記蓋は、前記ボトルの内容物を分注するための開口と取付部とを有する蓋台を備える。前記蓋は、さらにハンドルと、前記開口を密閉するためのフリップトップとを備える。前記フリップトップは、前記ハンドルが前記取付部に挿入されるときに前記ハンドル間に配置されるフリップトップピボットを含む。前記ハンドルと前記フリップトップとは、それぞれ独立して前記取付部内で搖動できる。
【０００７】
他の実施形態において、容器は、ボトルと、前記ボトルの上部に接続して前記ボトルを密閉する蓋とを備える。前記蓋は、前記ボトルの内容物を分注するための開口を含む蓋台と、ハンドルとフリップトップとを前記蓋台に固定する取付部とを含む。前記ハンドルは両側面にハンドルピボットを含み、前記ハンドルピポットは、前記取付部の複数のポストの複数の開口部に挿入する。前記フリップトップはフリップトップピボットを含み、前記フリップトップピボットは両側面に突起を有し、前記突起は、前記ハンドルの両側面にある開口部に挿入して前記フリップトップと前記取付部との間に前記ハンドルを固定する。前記フリップトップは、前記ハンドルの前記開口部内で独立して搖動可能に維持され、前記ハンドルは、前記ポストの前記開口部内で独立して搖動可能に維持される。
【０００８】
この発明の概要は、以下の詳細な説明においてさらに説明されている概念の一部を簡略化した形態で紹介するために設けられている。この発明の概要は、請求項に記載された対象の主な特徴、又は本質的な特徴を特定することを意図しておらず、また請求項に記載された対象の範囲を判定することを助けるのに使われることも意図していない。
【０００９】
本発明の追加の特徴と有利な点とは、以下の説明で記載され、その説明から明らかになるか、または本発明の実施によって学びうるかもしれない。本発明の特徴と有利な点とは、添付された請求項で特に指摘される手段と組み合わせによって気づくことができる、又は得られることができる。本発明のそれらの、また他の特徴は、以下の説明や添付された請求項より明確になるだろう、またはこの後明らかになるように、本発明の実施により学ぶことができる。
【００１０】
本発明の上記に列挙したものと他の利点と特徴とが得られることができる方法を説明するために、本発明の簡単な上記のより詳しい説明は、添付した図面に示した具体的な実施形態を参照して行われる。それらの図面は本発明の典型的な実施例のみを描写していることや、その範囲に限ると考慮されないことを理解することで、本発明は、追加的に記述され、添付図面の使用を通して追加した特異性と詳細を記載、また説明するだろう。
【図面の簡単な説明】
【００１１】
【図１】本発明の１又は複数の実施形態に係る例示の容器蓋の分解図を図示している。
【図２】図１の組み立てられた容器蓋を図示している。
【図３】ボトルに取り付けたときの図１の容器蓋を図示している。
【図４】ボトルを取り付けたときの図１の容器蓋を図示している。
【図５】図１の容器蓋のハンドルの位置を固定するための固定穴を図示している。
【発明を実施するための形態】
【００１２】
本発明は、同じ軸線の周りでそれぞれ独立して搖動できるハンドルとフリップトップとを含む容器蓋に向けられている。このようにして、その容器蓋は、内容物を運ぶため、保管するため、消費するための容器の使用効率を上げる。
【００１３】
１つの実施形態において、容器用の蓋は、内容物を分注するための開口と、取付部とを有する蓋台を備える。前記蓋は、またハンドルと、前記開口を密閉するためのフリップトップとを備える。前記フリップトップは、前記ハンドルが前記取付部に挿入されるときに、前記ハンドル間に配置されるフリップトップピボットを含む。前記ハンドルと前記フリップトップとは、それぞれ独立して搖動できる。
【００１４】
他の実施形態において、容器はボトルと、前記ボトルの開口を密閉するための蓋とを備えている。前記蓋は、前記ボトルの内容物を分注するための開口と、取付部とを有する蓋台を備える。前記蓋は、さらにハンドルと、前記開口を密閉するためのフリップトップとを備える。前記フリップトップは、前記ハンドルが前記取付部に挿入されるときに、前記ハンドル間に配置されるフリップトップピボットを含む。前記ハンドルと前記フリップトップとは、それぞれ独立して前記取付部内で搖動できる。
【００１５】
他の実施形態において、容器は、ボトルと、前記ボトルの上部に接続して前記ボトルを密閉する蓋とを備える。前記蓋は、前記ボトルの内容物を分注するための開口を含む蓋台と、ハンドルとフリップトップとを前記蓋台に固定する取付部とを含む。前記ハンドルは前記取付部の複数のポストの複数の開口部に挿入する両側面にハンドルピボットを含む。前記フリップトップはフリップトップピボットを含み、前記フリップトップピボットは、両側面に突起を有し、前記突起は、前記ハンドルの両側面にある開口部に挿入して前記フリップトップと前記取付部との間に前記ハンドルを固定する。前記フリップトップは、前記ハンドルの前記開口部に独立して搖動可能に維持され、前記ハンドルは、前記複数のポストの前記複数の開口部に独立して搖動可能に維持される。
【００１６】
図１は、本発明の１又は複数の実施形態に従う例示の容器蓋１００の分解図を図示している。蓋１００は、注ぎ口（又は開口）１０５と、取付部１０４とを有する台１０３を含む。ピボットハンドル１０２とフリップトップ１０１とは、図２に示すように取付部１０４と接続している。
【００１７】
蓋１００は、例えばボトル等の容器に取り付けられ、その容器を密閉する。図面は、フリップトップ１０１内の突起を注ぎ口１０５に押し込むことにより、注ぎ口１０５が密閉されることを図示しているが、フリップトップを使用して蓋の注ぎ口すなわち開口を密閉する別の手段が同様に使用されてよい（例えば、注ぎ口の周囲に広がるフリップトップ、台１０３に留められるフリップトップ等）。
【００１８】
フリップトップ１０１は、各側面に突起１０１ｂを有するフリップトップピボット１０１ａを含む。ハンドル１０２は、ループ１０２ａと、各側面にハンドルピボット１０２ｂとを含む。フリップトップ１０１とハンドル１０２とは、それぞれ独立して搖動できるように取付部１０４内に取り付けられる。図面は、環状のループを有するハンドルを示しているが、他の形状のループが使われることもありうる。さらに、ハンドル１０２は、両側にハンドルピボット１０２ｂを含む限りループ以外の形状に形成されてもよい（例えば、ホックやクリップ等）。
【００１９】
図１に示すように、取付部１０４は、その取付部の両端に位置する複数のポスト１０４ａを含む。各ポスト１０４ａは、対応するハンドルピボット１０２ｂを受承するための開口部１０４ｂ（片側のもののみ見える）を含む。
【００２０】
図２に示すように、ハンドル１０２は、ハンドルピボット１０２ｂを開口部１０４ｂに挿入することで、取付部１０４に取り付けられる。ハンドル１０２を取付部１０４に取り付けた状態で、突起１０１ｂを開口部１０２ｃに挿入するようにフリップトップピボット１０１ａはハンドル間に挿入できる。
【００２１】
このようにして、フリップトップ１０１とハンドル１０２とが蓋に取り付けられるが、フリップトップ１０１とハンドル１０２とは独立して搖動に維持される。例えば、フリップトップ１０１が注ぎ口１０５に挿入された状態で、ハンドル１０２は取付部１０４の軸線の周りで搖動できる。同様に、フリップトップ１０１はピボットハンドル１０２を伴わずに、取付部１０４の軸線の周りで搖動できる。
【００２２】
この構造は、蓋１００を有する容器の保管と取り扱いとを容易にする。図３と図４とは、蓋１００を使用できる例示のボトルを図示している。そのようなボトルは、飲み物の材料や他の食品を保管するために、運ぶために、そして／又は混ぜるために使用できる。ハンドル１０２の位置は、容器の持ち運びを容易にすると同時に、注ぎ口１０５からフリップトップ１０１が不用意に分離する可能性を最小限にする。また、ハンドル１０２がフリップトップ１０１から独立して搖動可能なので、容器の使用がさらに容易になる。
【００２３】
いくつかの実施形態において、図５に示されるように、ハンドル１０２は、取付部１０４の対応する複数のレール１０４ｃと連結する複数の溝１０３ｃを含むことができる。ハンドル１０２が図２に示す姿勢まで下向きに搖動するとき、複数のレール１０４が複数の溝１０３ｃ内に配置され、それによりその姿勢でハンドル１０２を固定する。ハンドル１０２の位置を固定することは、注ぎ口１０５から飲み物を飲むような多くの状況において望まれうる。もちろん、ハンドル１０２のための複数の固定位置を備えるため、レールと溝との１つ以上の組をハンドル１０２と取付部１０４とに形成することもできる。
【００２４】
以上のように、蓋１００は、最初にハンドルピボット１０２ｂを取付部１０４の開口部１０４ｂに挿入することで、組み立てられることができる。ハンドル１０２は、ハンドルピボット１０２ｂが開口部１０４ｂに挿入されるように（例えば、ハンドルピボット１０２ｂといっしょに押し付けることによって）十分に撓みやすい材料から製造されうる。ハンドル１０２が押し窄められることができるので、従って、ハンドルピボット１０２ｂは開口部１０４ｂへ挿入に適した程度の長さを有することができる。
【００２５】
ハンドルピボット１０２ｂを開口部１０４ｂ内に留めておくために、続いて、フリップトップピボット１０１ａは、開口部１０２ｃに突起１０１ｂを挿入すべくハンドル１０２内に押し込まれる。このようにして、ハンドル１０２は、フリップトップピボット１０１ａとポスト１０４ａとの間に固定されて（例えば、フリップトップピボット１０１ａは、ハンドル１０２が押し窄められることを防ぎ）、蓋１０２が使用される容器の重さを支持できるようになる。
【００２６】
蓋１００は、フリップトップピボット１０１ａが挿入されるとき、ポスト１０４ａがわずかに撓むように十分に可撓性であるが、ハンドル１０２とフリップトップ１０１とが大きな力なしで取付部１０４から外れることを妨げるように十分に剛性のある材料から製造されることができる。
【００２７】
言い換えれば、フリップトップピボット１０１ａがハンドル１０２間に挿入されると、開口部１０４ｂからハンドルピボット１０２ｂを取り外すために十分にハンドル１０２を押し窄めることはできない。さらに、取付部１０４は、フリップトップ１０１が大きな力なしでは取り外すことができないように十分に剛体的であり、それによって、かなりの力がハンドル１０２に作用するときでさえ（例えば、激しい活動の中に、ハンドル１０２が内容物で満たされた容器を支持するとき）、ハンドル１０２が不意に外されることを妨げる。このようにして、フリップトップ１０１、ハンドル１０２、及び蓋台１０３は、個別部品として製造され、容易に組み立てられることができ、ひいては、蓋１００の製造を単純化することになる。
【００２８】
本発明は、本発明の趣旨または不可欠な特徴から逸脱することなく他の特定の形態で実施してもよい。記述された実施形態は、全ての点において、例示されるものとして考慮され、制限されるものではない。本発明の範囲は、前記の説明よりむしろ、添付された特許請求の範囲によって指し示される。特許請求の範囲の均等の範囲内にある全ての変更がそれらの範囲に包含される。
【図１】
2015531332.tif 000003
【図２】
2015531332.tif 000004
【図３】
2015531332.tif 000005
【図４】
2015531332.tif 000006
【図５】
2015531332.tif 000007
【国際調査報告】
2015531332.tif 000008